(57)【要約】【課題】異なる識別マークの付された複数のゴルフボールを廉価に提供するとともに、収納されているゴルフボールに付されている識別マークを外部から容易に確認する。【解決手段】互いに異なる識別マーク１８が付された３個のゴルフボールＧをパッケージ１６に収納するとともに、収納されているゴルフボールＧの識別マーク１８を含むイラスト２２ａ〜２２ｄ、２６をパッケージ１６の側面部２０ａ〜２０ｄ及び蓋部２４に表示することにより、識別マーク１８の異なるゴルフボールＧを廉価に入手できるとともに、収納されているゴルフボールＧに付された識別マーク１８を外部から容易に確認することができる。【選択図】図２
0003113838.tif 000002
【実用新案登録請求の範囲】
【請求項１】
複数のゴルフボールを収納するゴルフボール用パッケージにおいて、
互いに異なる識別マークが付された前記ゴルフボールを収納するとともに、収納している前記ゴルフボールの前記識別マークをパッケージ外側面に表示することを特徴とするゴルフボール用パッケージ。
【請求項２】
請求項１記載のゴルフボール用パッケージにおいて、
前記識別マークは、数字からなることを特徴とするゴルフボール用パッケージ。
【請求項３】
請求項２記載のゴルフボール用パッケージにおいて、
前記数字は、アラビア数字であることを特徴とするゴルフボール用パッケージ。
【請求項４】
請求項２記載のゴルフボール用パッケージにおいて、
前記数字は、ローマ数字であることを特徴とするゴルフボール用パッケージ。
【請求項５】
請求項１記載のゴルフボール用パッケージにおいて、
パッケージ外側面には、前記識別マークが印刷によって表示されることを特徴とするゴルフボール用パッケージ。
【請求項６】
請求項１記載のゴルフボール用パッケージにおいて、
パッケージ外側面には、前記識別マークが付された前記ゴルフボールの画像が印刷によって表示されることを特徴とするゴルフボール用パッケージ。
【請求項７】
請求項１記載のゴルフボール用パッケージにおいて、
前記識別マークは、前記パッケージ外側面の複数の面に表示されることを特徴とするゴルフボール用パッケージ。
【考案の詳細な説明】
【技術分野】
【０００１】
本考案は、複数のゴルフボールを収納するゴルフボール用パッケージに関する。
【背景技術】
【０００２】
例えば、パーティーを組んでプレイをする際、各プレーヤの使用するゴルフボールが全て同じであると、自分のゴルフボールを容易に確認することができなくなり、誤球といったトラブルを惹起するおそれがある。
【０００３】
そこで、表面に異なる識別マークの付されたゴルフボールを各プレーヤが使用することで、自他のゴルフボールを識別することが行われる。例えば、識別マークとして数字をゴルフボールの表面に印刷したものが販売されている。この場合、各プレーヤは、自分の数字が印刷されたゴルフボールを選択してプレイすることになる。
【０００４】
ところで、ゴルフボールは、通常、２〜４個のゴルフボールをパッケージに収納した状態で販売されており、１つのパッケージには、同一の識別マークが付された同一のゴルフボールが収納されている（特許文献１参照）。
【０００５】
この場合、異なる識別マークが付されたゴルフボールを入手するには、同時に複数のパッケージを購入しなければならないため、経済的負担が増加するおそれがある。
【０００６】
また、パッケージに収納されているゴルフボールに付されている識別マークを確認するには、パッケージから一旦ゴルフボールを取り出すか、特許文献１に開示されているように、パッケージに確認窓を形成しておき、この確認窓を介して収納されているゴルフボールの識別マークを確認する必要がある。この場合、パッケージからゴルフボールを取り出す際にパッケージを破損するおそれがある。また、パッケージに確認窓を形成すると、パッケージのコストアップに繋がってしまう。
【０００７】
【特許文献１】実用新案登録第３１００１８３号公報
【考案の開示】
【考案が解決しようとする課題】
【０００８】
本考案は、前記の不具合を考慮してなされたものであり、異なる識別マークの付された複数のゴルフボールを廉価に提供することができるとともに、収納されているゴルフボールに付されている識別マークを外部から容易に確認することができるゴルフボール用パッケージを提供することを目的とする。
【課題を解決するための手段】
【０００９】
前記の目的を達成するために、本考案は、複数のゴルフボールを収納するゴルフボール用パッケージにおいて、
互いに異なる識別マークが付された前記ゴルフボールを収納するとともに、収納している前記ゴルフボールの前記識別マークをパッケージ外側面に表示することを特徴とする。
【００１０】
この場合、アラビア数字、ローマ数字、その他、自他識別可能な識別マークを印刷等によってパッケージ外側面に表示することができる。パッケージ外側面には、識別マークを含むゴルフボールの画像を表示してもよい。また、パッケージ外側面の複数の面に識別マークを表示すれば、識別マークの確認が一層容易になる。
【考案の効果】
【００１１】
本考案のゴルフボール用パッケージによれば、１つのパッケージに異なる識別マークの付された複数のゴルフボールが収納されているため、識別情報の異なる複数のゴルフボールを廉価に入手することができる。
【００１２】
また、パッケージに収納されているゴルフボールの識別マークを、パッケージを開けることなく外部から容易に確認することができる。従って、パッケージを破損することなく、所望の識別マークの付されたゴルフボールを選択することができる。
【考案を実施するための最良の形態】
【００１３】
図１は、１２個のゴルフボールＧ（図２）を収納する化粧箱１０を開いた状態の説明図である。化粧箱１０は、箱体１２及び蓋体１４からなり、箱体１２には、３個のゴルフボールＧを収納する４つのパッケージ１６が収納される。
【００１４】
１つのパッケージ１６に収納される３個のゴルフボールＧには、互いに異なる識別マーク１８が印刷等によって記録されている。この場合、図２に示す識別マーク１８は、異なるアラビア数字１、２、３及び５、６、７からなる。
【００１５】
図３は、パッケージ１６を展開した平面図である。パッケージ１６の４面の側面部２０ａ〜２０ｄには、収納されている各ゴルフボールＧに付されている識別マーク１８を含むゴルフボールＧのイラスト２２ａ〜２２ｄが印刷されている。また、パッケージ１６の蓋部２４にも識別マーク１８を含むゴルフボールＧのイラスト２６が印刷されている。なお、パッケージ１６の底面部２５には、イラストが印刷されていないが、蓋部２４と同様にしてイラストを印刷してもよい。
【００１６】
パッケージ１６は、各側面部２０ａ〜２０ｄ、蓋部２４、底面部２５及びフラップ２８ａ〜２８ｄを折り畳むことで直方体状に構成され、その中に、図２に示すように、互いに異なる識別マーク１８が付された３個のゴルフボールＧが収納される。
【００１７】
ユーザは、１２個のゴルフボールＧが収納された化粧箱１０を単位としてゴルフボールＧを購入してもよいが、３個のゴルフボールＧが収納されたパッケージ１６を単位としてゴルフボールＧを購入することもできる。パッケージ１６を単位としてゴルフボールＧを購入する場合、異なる所望の識別マーク１８が付された３個のゴルフボールＧを廉価に入手することができる。
【００１８】
また、ゴルフボールＧを購入するユーザは、パッケージ１６の側面部２０ａ〜２０ｄ又は蓋部２４に表示されているイラスト２２ａ〜２２ｄ又は２６に基づき、収納されているゴルフボールＧに付されている識別マーク１８を外部から確認し、所望の識別マーク１８が付されたゴルフボールＧを容易に選択することができる。この場合、パッケージ１６からゴルフボールＧを取り出して識別マーク１８を確認する必要がないため、購入前にパッケージ１６を破損してしまうおそれもない。
【００１９】
なお、上述した実施形態では、各ゴルフボールＧにアラビア数字からなる識別マーク１８を付しているが、図４に示すように、ローマ数字からなる識別マーク３０を付してもよい。また、ゴルフボールＧを互いに識別できるものであれば、アラビア数字、ローマ数字以外のマークであってもよいことは勿論である。また、イラスト２２ａ〜２２ｄ、２６に代えて、識別マーク１８を含むゴルフボールＧの写真をパッケージ１６に印刷することもできる。
【図面の簡単な説明】
【００２０】
【図１】複数のゴルフボール用パッケージを収納する化粧箱の説明図である。
【図２】ゴルフボール用パッケージの外観斜視図である。
【図３】ゴルフボール用パッケージの展開平面図である。
【図４】ゴルフボール用パッケージの他の実施形態に係る外観斜視図である。
【符号の説明】
【００２１】
１０…化粧箱                    １２…箱体
１４…蓋体                      １６…パッケージ
１８、３０…識別マーク          ２０ａ〜２０ｄ…側面部
２２ａ〜２２ｄ、２６…イラスト  ２４…蓋部
２５…底面部                    ２８ａ〜２８ｄ…フラップ
【図１】
0003113838.tif 000003
【図２】
0003113838.tif 000004
【図３】
0003113838.tif 000005
【図４】
0003113838.tif 000006